(57)【特許請求の範囲】
【請求項１】
施錠機能を備えた家具の該施錠機能を操作するキーを保管するためのキー保管装置であって、家具の収納空間を閉じる目的で設けられた空間閉塞部材には、該空間閉塞部材を移動させるための引手と前記施錠機能が組み込まれ、前記空間閉塞部材は、表面板と裏面板との間に前記引手と施錠機能が内蔵された操作ユニットが接合状態で設けられており、前記操作ユニットの背面部に上方と後方が開放された収容凹部を有するとともに、前記裏面板には少なくとも前記収容凹部の上方開放部を露出させる切欠開口を有し、前記収容凹部と裏面板とでキーを上方開放部から落とし込み保持する袋状のキーポケットを形成したことを特徴とする施錠機能を備えた家具のキー保管装置。
【請求項２】
前記操作ユニットの収容凹部の周縁であって前記裏面板の切欠開口の口縁に対応する位置に、該切欠開口の口縁に嵌合する突縁部を形成してなる請求項１記載の施錠機能を備えた家具のキー保管装置。
【請求項３】
前記操作ユニットは、背面部に水平な上面板部を有するボックス体を有し、該ボックス体の内部には前記引手の指入れ空間の区画壁を有し、前記上面板部に形成した上方開放部と該上方開放部から前記区画壁の背面に沿って突設したリブで、上部の横幅が広く、下部の横幅が狭い形状の前記収容凹部を形成してなる請求項１又は２記載の施錠機能を備えた家具のキー保管装置。
【請求項４】
前記裏面板には、前記操作ユニットのボックス体の上面板部に当接する水平板部と、ボックス体の背面に当接する垂直板部とを有し、前記切欠開口は、前記水平板部から垂直板部にかけて前記収容凹部の横幅が広い上部が露出するように形成してなる請求項３記載の施錠機能を備えた家具のキー保管装置。
【発明の詳細な説明】
【技術分野】
【０００１】
本発明は、施錠機能を備えた家具のキー保管装置に係わり、更に詳しくは家具の施錠機能を操作するキーを保管するためのキー保管装置に関するものである。
【背景技術】
【０００２】
従来から引出しや回動式の開閉扉あるいは引き違い式の引戸を設けたキャビネット等の収納家具は各種提供されており、多くの収納家具では、引出しの前板、開閉扉、引戸といった収納空間を閉じる目的の空間閉塞部材には施錠機能が設けられている。通常、引出し前板等の空間閉塞部材には開閉操作するための引手、ラッチ機構、施錠具が組み込まれ、前面に引手や鍵穴を設け、裏面側には少なくとも施錠具が覆われるように裏カバーが設けられている。そして、従来は施錠具を操作するキーを保管する場所が特に設けられてなかった不都合を解消するために、特許文献１や特許文献２に記載のキー保管装置が提案されている。
【０００３】
特許文献１には、扉の裏側で施錠装置を覆って配設される施錠装置カバーと、該施錠装置カバーに形成された鍵収納部とを具備している保管庫が開示されている。具体的には、鍵収納部は、施錠装置カバーとの間に鍵の先端部を長手方向に沿って挿脱する孔を形成する支持板を備え、更に鍵の抜け止め手段として、支持板を施錠装置カバーに鍵の外形よりも大きく凹設された凹部に設け、鍵の支持板の孔への挿入位置で鍵を凹部内に収容する構造、あるいは鍵の支持板の孔への挿入位置で、鍵の基端部に設けられている孔に係合する突起や鍵の基端部の上端に当接する弾性変形可能な突起を設ける構造が開示されている。
【０００４】
特許文献２には、家具における扉、鏡板の裏面に凸出形成された補強リブ、又は、扉、鏡板の表板の周囲を折り曲げて形成した縁部に前記表板との間にその縁部の厚みと同等の空隙を介して貼着した裏板に、穴又は凹部を形成し、当該穴又は凹部に、キーを収容するための保管ポケットとして箱状容器を嵌合装着した家具用キーの保管ポケットが開示されている。
【先行技術文献】
【特許文献】
【０００５】
【特許文献１】特許第２６０１２３０号公報
【特許文献２】特許第３８２５９０５号公報
【発明の概要】
【発明が解決しようとする課題】
【０００６】
しかしながら、特許文献１に記載の構造は、キーの大部分が露出するので、外観性を損なうとともに、キーを保持するのは合成樹脂製のカバーに一体成形された孔を備えた支持板のみであるので、該支持板が破損する恐れもある。また、特許文献２に記載の構造は、別部材として合成樹脂製の箱状容器を必要とするのでコスト高となり、また箱状容器を嵌着する補強リブや裏板に比較的大きな穴や凹部を形成しなければならず、補強リブや裏板の強度低下や目立ち過ぎるといった課題を有している。
【０００７】
そこで、本発明が前述の状況に鑑み、解決しようとするところは、施錠機能を備えた家具の該施錠機能を操作するキーを保管するためのキー保管装置において、家具の収納空間を閉じる目的で設けられた空間閉塞部材に、何ら部品を追加することなく、既存の部品の加工のみによってキーを保管する機能を、コスト上昇を抑制して追加することが可能な施錠機能を備えた家具のキー保管装置を提供する点にある。
【課題を解決するための手段】
【０００８】
本発明は、前述の課題解決のために、施錠機能を備えた家具の該施錠機能を操作するキーを保管するためのキー保管装置であって、家具の収納空間を閉じる目的で設けられた空間閉塞部材には、該空間閉塞部材を移動させるための引手と前記施錠機能が組み込まれ、前記空間閉塞部材は、表面板と裏面板との間に前記引手と施錠機能が内蔵された操作ユニットが接合状態で設けられており、前記操作ユニットの背面部に上方と後方が開放された収容凹部を有するとともに、前記裏面板には少なくとも前記収容凹部の上方開放部を露出させる切欠開口を有し、前記収容凹部と裏面板とでキーを上方開放部から落とし込み保持する袋状のキーポケットを形成したことを特徴とする施錠機能を備えた家具のキー保管装置を構成した（請求項１）。
【０００９】
ここで、前記操作ユニットの収容凹部の周縁であって前記裏面板の切欠開口の口縁に対応する位置に、該切欠開口の口縁に嵌合する突縁部を形成してなることが好ましい（請求項２）。
【００１０】
具体的には、前記操作ユニットは、背面部に水平な上面板部を有するボックス体を有し、該ボックス体の内部には前記引手の指入れ空間の区画壁を有し、前記上面板部に形成した上方開放部と該上方開放部から前記区画壁の背面に沿って突設したリブで、上部の横幅が広く、下部の横幅が狭い形状の前記収容凹部を形成してなることが好ましい（請求項３）。
【００１１】
更に、前記裏面板には、前記操作ユニットのボックス体の上面板部に当接する水平板部と、ボックス体の背面に当接する垂直板部とを有し、前記切欠開口は、前記水平板部から垂直板部にかけて前記収容凹部の横幅が広い上部が露出するように形成してなることが好ましい（請求項４）。
【発明の効果】
【００１２】
以上にしてなる請求項１に係る発明の施錠機能を備えた家具のキー保管装置は、施錠機能を備えた家具の該施錠機能を操作するキーを保管するためのキー保管装置であって、家具の収納空間を閉じる目的で設けられた空間閉塞部材には、該空間閉塞部材を移動させるための引手と前記施錠機能が組み込まれ、前記空間閉塞部材は、表面板と裏面板との間に前記引手と施錠機能が内蔵された操作ユニットが接合状態で設けられており、前記操作ユニットの背面部に上方と後方が開放された収容凹部を有するとともに、前記裏面板には少なくとも前記収容凹部の上方開放部を露出させる切欠開口を有し、前記収容凹部と裏面板とでキーを上方開放部から落とし込み保持する袋状のキーポケットを形成したので、空間閉塞部材を構成する操作ユニットと裏面板を利用して、何ら部品を追加することなく、操作ユニットと裏面板の加工のみによってキーを保管する機能を、コスト上昇を抑制して追加することができる。
【００１３】
請求項２によれば、前記操作ユニットの収容凹部の周縁であって前記裏面板の切欠開口の口縁に対応する位置に、該切欠開口の口縁に嵌合する突縁部を形成してなるので、表面板に対して裏面板の位置決めを正確に行なうことができるとともに、組み立て後のズレも防止することができ、更に切欠開口の口縁が突縁部で保護されるので、切欠開口の口縁で指を傷つける恐れもない。
【００１４】
請求項３によれば、前記操作ユニットは、背面部に水平な上面板部を有するボックス体を有し、該ボックス体の内部には前記引手の指入れ空間の区画壁を有し、前記上面板部に形成した上方開放部と該上方開放部から前記区画壁の背面に沿って突設したリブで、上部の横幅が広く、下部の横幅が狭い形状の前記収容凹部を形成してなるので、操作ユニットの背面部のボックス部の切り欠きやリブ形状を変更するだけで、キー用の収容凹部を一体成形することができ、収容凹部の横幅の狭い下部にキーの先端部を保持するとともに、収容凹部の横幅が広い上部にキーの把持部を収容することで、安定にキーを保管できる。
【００１５】
請求項４によれば、前記裏面板には、前記操作ユニットのボックス体の上面板部に当接する水平板部と、ボックス体の背面に当接する垂直板部とを有し、前記切欠開口は、前記水平板部から垂直板部にかけて前記収容凹部の横幅が広い上部が露出するように形成してなるので、裏面板の水平板部が操作ユニットのボックス体の上面板部に当接するとともに、裏面板の垂直板部が操作ユニットのボックス体の背面に当接するので、裏面板の変形を抑制することができ、また操作ユニットの収容凹部の下部と裏面板の垂直板部とで袋状のキーポケットを形成することができ、また収容凹部の上方開放部と横幅が広い上部が開口するので、キーの挿脱を容易に行なうことができる。
【図面の簡単な説明】
【００１６】
【図１】引き出し式のキャビネットの全体斜視図である。
【図２】引出しの斜視図である。
【図３】引出しの部分拡大斜視図である。
【図４】引出し前板の部分拡大分解斜視図である。
【図５】引出し前板の縦断面図である。
【図６】操作ユニットの斜視図である。
【図７】引出し前板の表面板にラッチ駆動機構を設けた状態の部分斜視図である。
【図８】引出し前板の表面板に操作ユニットを取付ける構造を示す部分斜視図である。
【図９】図８のＸ−Ｘ線断面図である。
【図１０】エラーガードが回転退避した状態を示す斜視図である。
【発明を実施するための形態】
【００１７】
次に、添付図面に示した実施形態に基づき、本発明を更に詳細に説明する。図１は本発明に係る家具として引き出し式のキャビネットを示し、図２〜図５はその要部を示し、図中符号１はキャビネット（家具）、２は引出し、３は前板（空間閉塞部材）、４は引手、５は施錠装置、６はキーポケット、７はキー、８は操作ユニットをそれぞれ示している。本実施形態では、家具として引き出し式のキャビネットを示すが、回動式の開閉扉付きキャビネットやロッカー等の他の施錠機能を備えた収納家具にも適用することが可能である。
【００１８】
本発明は、施錠機能を備えた家具１の該施錠機能を操作するキー７を保管するためのキー保管装置であって、家具１の収納空間を閉じる目的で設けられた空間閉塞部材３には、該空間閉塞部材３を移動させるための引手４と前記施錠機能（施錠装置５）が組み込まれ、前記空間閉塞部材３は、表面板９と裏面板１０との間に前記引手４と施錠機能が内蔵された操作ユニット８が接合状態で設けられており、前記操作ユニット８の背面部に上方と後方が開放された収容凹部１１を有するとともに、前記裏面板１０には少なくとも前記収容凹部１１の上方開放部１２を露出させる切欠開口１３を有し、前記収容凹部１１と裏面板１０とでキー７を上方開放部１２から落とし込み保持する袋状のキーポケット６を形成したことを特徴とする。
【００１９】
具体的には、前記操作ユニット８は、図４に示すように、背面部に水平な上面板部１５を有する後方開放状態のボックス体１４を有し、該ボックス体１４の内部には前記引手４の指入れ空間１６の背面を形成する区画壁１７を有し、前記上面板部１５に形成した上方開放部１２と該上方開放部１２から前記区画壁１７の背面に沿って突設したリブ１８で、上部の横幅が広く、下部の横幅が狭い形状の前記収容凹部１１を形成している。ここで、前記収容凹部１１の上部を幅広部１１Ａ、下部を幅狭部１１Ｂとする。前記幅広部１１Ａであって、前記幅狭部１１Ｂに連続する部分のリブ１８は傾斜面となっている。
【００２０】
また、前記裏面板１０には、前記操作ユニット８のボックス体１４の上面板部１５に当接する水平板部１９と、ボックス体１４の背面に当接する垂直板部２０とを有し、前記切欠開口１３は、前記水平板部１９から垂直板部２０にかけて前記収容凹部１１の横幅が広い上部（幅広部１１Ａ）が露出するように形成している。前記キー７は、基端側の把持部７Ａの横幅が広く、先端側の操作部７Ｂの横幅が狭くなっている形状が一般的であるが、前記施錠装置５に応じてそのキー７の形状は異なるので、前記収容凹部１１の形状は、対象とするキー７の形状に応じて決定する。
【００２１】
更に、前記操作ユニット８の収容凹部１１の周縁であって前記裏面板１０の切欠開口１３の口縁に対応する位置に、該切欠開口１３の口縁に嵌合する突縁部２１を形成している。本実施形態で、前記突縁部２１は、前記リブ１８の高さを前記切欠開口１３の口縁に対応する部分だけ高く形成して設けた。具体的には、前記突縁部２１は、前記上方開放部１２を形成した上面板部１５よりも上方へ突出し、また前記収容凹部１１の幅広部１１Ａを形成するリブ１８に設けた。前記突縁部２１が前記裏面板１０の切欠開口１３の口縁に嵌合することで、前記表面板９に対して裏面板１０の位置決めを正確に行なうことができるとともに、組み立て後のズレも防止することができる。更に、前記切欠開口１３の口縁が突縁部２１で保護されるので、切欠開口１３の口縁で指を傷つける恐れもない。
【００２２】
前記引出し２は、図２に示すように、収容本体２２の前端に前記前板３を取付けた通常の構造であり、前記キャビネット１に押し込み格納した際に、前記前板３でキャビネット１の開口部を閉塞するのである。前記前板３には、キャビネット１の側框の爪（図示せず）に係脱するラッチ２３が設けられ、前記前板３の表面板９に臨んだ前記引手４の指掛け部２４を手前に引くことによって、前板３に内蔵した前記ラッチ駆動機構２５で前記ラッチ２３が内向きに回動して、前記側框の爪に対する係合が解除されて引出し２を引き出すことができるようになっている。前記指掛け部２４から手を離せば、弾性付勢力によって前記ラッチ２３は前記側框の爪に係合する位置まで外側へ回動変位する。そして、前記引出し２をキャビネット１に押し込み格納状態で、前記前板３の表面板９に臨んだ前記施錠装置５の鍵穴２６にキー７を差し込んで回転操作すれば、図４及び図６に示すように、前記操作ユニット８の側部に内蔵されたシリンダー錠２７のデッドボルト２８が突出して、前記キャビネット１の上框の係合孔（図示せず）に係合して施錠状態にするのである。解錠状態にするには、前記キー７を逆回転させれば、前記デッドボルト２８が係合孔から抜けて前記ボックス体１４に引き込まれる。
【００２３】
前記操作ユニット８は、図４〜図６に示すように、本体部２９に前面開放した前記指入れ空間１６を形成し、該指入れ空間１６に指掛け部２４を配置し、該指掛け部２４から上方に延びたアーム部３０の先端両端部を前記本体部２９内に支軸３１にて回動可能に支持し、該アーム部３０の前側中間部に操作突起３２を設け、該操作突起３２で前記ラッチ駆動機構２５を構成するシャフト３３に外嵌した連動部材３４に側設した連動片３５を押圧して、該シャフト３３を回転させるようになっている。また、前記操作ユニット８の本体部２９の側部には、前記シリンダー錠２７が保持され、該操作ユニット８を前記表面板９の裏面に嵌合によって取付けた際に、前記引手４が該表面板９に形成した引手開口部３６から前面側に臨み、また前記シリンダー錠２７の鍵穴２６が該表面板９に形成した孔３７から前面側に臨むのである。
【００２４】
図３〜図５及び図７に示すように、前記前板３の表面板９は、周囲を背面側に折曲して縁板３８を形成するとともに、上面と両側面は更に内向きに補強板３９を折曲形成している。また、前記前板３の裏面板１０は、上縁部を前記表面板９の縁板３８と補強板３９の内側に密嵌する嵌合部４０を形成し、該嵌合部４０の下方に垂下板４１と前記水平板部１９が形成されている。そして、前記裏面板１０は、前記収容本体２２の前端に立起状態で固定されており、前記表面板９の背面側に前記ラッチ駆動機構２５と操作ユニット８を装着した状態で、前記裏面板１０の上縁の嵌合部４０を前記表面板９の上縁の縁板３８と補強板３９の内側に嵌入しながら前記裏面板１０に重合し、前記裏面板１０と表面板９の下端縁を連結することで、前記引手４と施錠装置５が内蔵された前記前板３を構成すると同時に、前記操作ユニット８の収容凹部１１の前記突縁部２１を前記裏面板１０の切欠開口１３の口縁に嵌合させ、前記キーポケット６を構成する。尚、前記シリンダー錠２７のデッドボルト２８が出没するための開口４２を前記裏面板１０の水平板部１９に形成している。
【００２５】
前記シリンダー錠２７をキー７で施錠操作すると前記デッドボルト２８が、前記前板３の裏面板１０の水平板部１９に形成した開口４２から上方へ突出するが、その状態で前記引出し２をキャビネット１に押し込むと、前記デッドボルト２８の先端部が上框に衝突して、該デッドボルト２８が損傷することがある。そこで、図３、図４及び図６に示すように、前記引出し２をキャビネット１に正しく押し込み格納された状態でのみ、キー７による施錠操作が可能となるように、前記デッドボルト２８の先端部を開閉するエラーガード４３が前記操作ユニット８の本体部２９に設けられている。
【００２６】
具体的には、前記エラーガード４３は、解錠状態、つまり前記デッドボルト２８が引っ込んだ状態で、その先端を覆うようにキックばね４４で弾性付勢されて回動可能に設けられ、該エラーガード４３で前記デッドボルト２８の先端が覆われている状態では、キー７で施錠操作しても該デッドボルト２８が上方へ突出しないように規制している。そして、前記引出し２をキャビネット１に正しく押し込み格納すると、図１０に示すように、前記エラーガード４３が上框に当たってキックばね４４の弾性付勢力に抗して回動し、前記デッドボルト２８の先端から退避するようにしている。この状態で、キー７で施錠操作すると前記デッドボルト２８は上方へ突出してキャビネット１の上框の係合孔に係合するようになる。再度、引出し２を引き出せば、前記エラーガード４３は、自動的に弾性付勢力によって前記デッドボルト２８の先端を覆うように回動する。
【００２７】
次に、前記操作ユニット８を前記表面板９の背面に嵌着する構造を図５〜図９に基づいて説明する。前記前板３の表面板９には、前述のように前記操作ユニット８の引手４の指入れ空間１６と指掛け部２４を前面側に出現させるために引手開口部３６を形成しているが、該引手開口部３６の口縁は背面側へ約１３５°に折曲して傾斜板４５を形成し、該傾斜板４５の一部、本実施形態では両側部にそれぞれ１箇所、下部に二箇所に９０°の向き、つまり表面板９に対して直角に係合片４６，…を形成し、該係合片４６には孔４７を有している。
【００２８】
一方、前記操作ユニット８の本体部２９には、前記引手開口部３６より外側であって、前記傾斜板４５に対応する位置に枠部４８を設けるとともに、前記係合片４６，…を受け入れて前記孔４７に係合する弾性爪４９，…を対応する位置に一体成形している。前記操作ユニット８を前記表面板９の背面に嵌着するには、本体部２９の上部に形成した凸部５０を前記表面板９の縁板３８と補強板３９の内側に挿入するとともに、前記弾性爪４９を係合片４６の孔４７に抜け止め係合させる。そうすると、前記操作ユニット８の本体部２９の枠部４８が、前面からは目立たないように前記引手開口部３６の周囲の傾斜板４５の背後に接近した状態に位置する。つまり、前記引手開口部３６には、前記引手４の指入れ空間１６と指掛け部２４のみが現れるのである。尚、この目的のために、前記傾斜板４５を形成したが、その角度は１３５°に限定されないが、１２０°〜１５０°程度が製造工程の都合上好ましい。
【００２９】
前記ラッチ駆動機構２５は、前記前板３の表面板９の背面上縁部に沿って横設した前記シャフト３３と、前記ラッチ２３の基部に固定した垂直な操作軸５１と、前記シャフト３３の端部を操作軸５０の上端部とを回動可能に支持する回転変更部材５２と、前記ラッチ２３を回動可能に支持するラッチ支持部材５３とからなり、前記回転変更部材５２とラッチ支持部材５３は前記表面板９の縁板３８と補強板３９の内側に嵌着する。前記回転変更部材５２の内部で、前記シャフト３３の回転力を操作軸５１に伝達する。前記回転変更部材５２とラッチ支持部材５３は、前記表面板９に裏面板１０を接合することによって固定される。
【符号の説明】
【００３０】
１  キャビネット（家具）、  ２  引出し、
３  前板（空間閉塞部材）、  ４  引手、
５  施錠装置、              ６  キーポケット、
７  キー、                  ７Ａ  把持部、
７Ｂ  操作部、              ８  操作ユニット、
９  表面板、                １０  裏面板、
１１  収容凹部、            １１Ａ  幅広部、
１１Ｂ  幅狭部、            １２  上方開放部、
１３  切欠開口、            １４  ボックス体、
１５  上面板部、            １６  指入れ空間、
１７  区画壁、              １８  リブ、
１９  水平板部、            ２０  垂直板部、
２１  突縁部、              ２２  収容本体、
２３  ラッチ、              ２４  指掛け部、
２５  ラッチ駆動機構、      ２６  鍵穴、
２７  シリンダー錠、        ２８  デッドボルト、
２９  本体部、              ３０  アーム部、
３１  支軸、                ３２  操作突起、
３３  シャフト、            ３４  連動部材、
３５  連動片、              ３６  引手開口部、
３７  孔、                  ３８  縁板、
３９  補強板、              ４０  嵌合部、
４１  垂下板、              ４２  開口、
４３  エラーガード、        ４５  傾斜板、
４６  係合片、              ４７  孔、
４８  枠部、                ４９  弾性爪、
５０  凸部、                ５１  操作軸、
５２  回転変更部材、        ５３  ラッチ支持部材。
【図１】
0006569395.tif 000002
【図２】
0006569395.tif 000003
【図３】
0006569395.tif 000004
【図４】
0006569395.tif 000005
【図５】
0006569395.tif 000006
【図６】
0006569395.tif 000007
【図７】
0006569395.tif 000008
【図８】
0006569395.tif 000009
【図９】
0006569395.tif 000010
【図１０】
0006569395.tif 000011